(57)【要約】      （修正有）【課題】伸長可能で耐久性に優れることにより、保管場所を限定されず、釣竿の出し入れが容易であり、釣竿を衝撃から適切に保護可能である、釣竿収納ケースを提供する。【解決手段】上端と下端の両端を閉塞状態とした筒状に形成されたケース本体部１０を備える。ケース本体部１０の中央よりも僅かに下方の側方位置に開口部１４を有するケース中央部１３と、ケース中央部１３の上方位置に設けられたケース上方部１１と、ケース中央部１３の下方位置に設けられたケース下方部１２とを備え、ケース上方部１１の上方端部およびケース下方部１２の下方端部の少なくとも一方の内側に補強部を備える。ケース本体部１０が、クロロプレンゴムから成る合成ゴムシートを用いて構成されている。【選択図】図１
0003159474.tif 000002
【実用新案登録請求の範囲】
【請求項１】
筒状に形成されたケース本体部を備えた釣竿収納ケースであって、
前記ケース本体部が伸長可能なシートを用いて構成されており、前記ケース本体部の側方位置に開口部が形成されている
ことを特徴とする釣竿収納ケース。
【請求項２】
上端と下端の両端を閉塞状態とした筒状に形成されたケース本体部を備えた釣竿収納ケースであって、
前記ケース本体部の中央よりも僅かに下方の側方位置に開口部を有するケース中央部と、前記ケース中央部の上方位置に設けられたケース上方部と、前記ケース中央部の下方位置に設けられたケース下方部とを備え、
前記ケース上方部の上方端部および前記ケース下方部の下方端部の少なくとも一方の内側に補強部を備え、
前記ケース本体部が、クロロプレンゴムから成る合成ゴムシートを用いて構成されている
ことを特徴としている釣竿収納ケース。
【考案の詳細な説明】
【技術分野】
【０００１】
本考案は、釣竿収納ケースに関するものである。より具体的には、伸長可能で耐久性に優れる等の種々の効果を発揮すべく構成された、釣竿収納ケースに関するものである。
【背景技術】
【０００２】
従来、釣り人は、釣りを行う際には、釣竿をはじめとした種々の道具を携帯して、釣り場へと向かう。また、釣り場と釣り場とを移動する際にも、当然のことながら、これら種々の道具を携帯した状態で移動を行う。すなわち、釣りを行う際には、常に種々の道具が必要となり、その移動の際にも必須となる。その中でも、特に重要となるのが釣竿である。
【０００３】
釣竿は、非常に壊れやすい部分もあるため、通常、釣り人は、釣竿を何等かのケースに収納した状態で釣り場へ向かい、釣り場を移動する際にもケースに収納した状態で移動を行う。
【０００４】
釣竿を収納するためのケースとしては、色々な形状を有するものがあり、例えば、釣竿本体を収納する部分と、釣竿以外の種々の道具（リール、釣り針、ルアー、錘等）の一部を収納する部分とを備えたものもある（例えば、特許文献１等）。そして、釣竿からこれらの種々の道具を取り外した状態で、一つのケースあるいは複数のケースに収納し、釣り場への移動、および釣り場間の移動を行う。
【先行技術文献】
【特許文献】
【０００５】
【特許文献１】特開２００６−１４９２１３号公報
【考案の概要】
【考案が解決しようとする課題】
【０００６】
しかしながら、従来技術にかかるケース（釣竿収納ケース）には、次のような問題があった。
【０００７】
上述したように、釣竿は非常に壊れやすい部分もあるため、移動の際にはケースに収納する必要がある。しかしながら、従来技術によれば、移動時において、ケース内で釣竿のずれ・振動が繰り返されることとなるため、ケース内部にて釣竿が破損するという問題があった。また、このように、ケース内で釣竿がずれると、釣り人がそのケースを持って移動しづらくなるという問題もあった。
【０００８】
さらに、従来技術によれば、釣竿とそれ以外の道具とが別々に収納されるため、釣り場を移動する際に、仕掛け等を取り外したり、取り付けたりする手間が発生するという問題があった。加えて、従来技術によれば、その材質上、釣り針等をそのまま収納することに問題があった。
【０００９】
また、従来技術によれば、ケースに設けられた金属部品（開閉手段等）が酸化等することによって、ケース自身の耐久性が低いという問題があった。加えて、このように、ケースの開閉部等の金属部品が酸化すると、釣竿をケースに出し入れする際に、釣竿にキズがつきやすいという問題もあった。
【００１０】
さらに、従来技術によれば、釣竿の収納状態に関わらず、そのケース自身を載置あるいは収納する必要があるため、非使用時（家で保管している時）においても使用時（釣り場にて所持している時）においても、一定の載置面積が必要であるという問題があった。つまり、家では邪魔になり、釣り場では（特に狭い釣り場では）その置き場所に困るという問題があった。
【００１１】
そこで、本考案は、上記従来技術の問題を解決するためになされたものであって、伸長可能で耐久性に優れることにより、保管場所を限定されず、釣竿の出し入れが容易であり、釣竿を衝撃から適切に保護可能である、釣竿収納ケースを提供することを課題とする。
【課題を解決するための手段】
【００１２】
本考案は、上記課題を解決するためになされたものであり、筒状に形成されたケース本体部を備えた釣竿収納ケースであって、前記ケース本体部が伸長可能なシートを用いて構成されており、前記ケース本体部の側方位置に開口部が形成されていることを特徴としている。
【００１３】
このように構成された釣竿収納ケースは、伸長可能なシートを用いて構成されているため（すなわち、伸び縮みするため）、側方位置に設けられた前記開口部を引き伸ばすことによって、様々なサイズ（長手方向サイズ）の釣竿の収納を行うことができる。また、このような構成であれば、伸長可能なため、拡げることによって、複数の釣竿を収納することもできる。
【００１４】
さらに、このような構成であれば、釣竿を収納して前記ケース本体部が長手方向に伸長することによって、前記ケース本体部の外径寸法は縮むことになるため、一本あるいは複数の釣竿であっても、適切に固定することができる。すなわち、移動中において、前記ケース本体部内で釣竿がずれたり、振動したりすることがないため、釣竿にキズをつけることがない。
【００１５】
また、このように構成された釣竿収納ケースによれば、前記ケース本体部が伸長可能なシートを用いて構成されているため、家等で使用せずに（釣竿を収納せずに）保管する時や、釣り場における釣竿使用時（すなわち、前記ケース本体部から釣竿を取り出している時）に、場所を取ることなく小さく折り畳む等して保管することができる。
【００１６】
さらに、本考案にかかる釣竿収納ケースは、伸長可能なシートを用いて構成されているため、前記開口部を小さく形成しても、引き伸ばすことによって、釣竿の出し入れを容易に行うことができると共に、釣竿を収納して伸長状態とすると、常に前記ケース本体部外径が縮む方向に力が作用するため、前記開口部に開閉手段を設けずとも、適切に前記ケース本体部内に釣竿を保持することができる。したがって、本考案にかかる釣竿収納ケースの前記開口部には、金属や合成樹脂にて構成された開閉手段（ファスナー等）を設ける必要がない。加えて、金属等にて形成された開閉手段が必要ではないため、海水の塩分が固着して開閉手段が作動しなくなったり、酸化等して前記ケース本体部を劣化させたりすることがない。また、本考案においては、前記開口部に従来技術における開閉手段等を設ける必要がないため、出し入れの際に、釣竿にキズをつけることがない。
【００１７】
さらに、本考案にかかる釣竿収納ケースによれば、釣竿にリール等を装着した状態で、前記ケース本体部に収納することが可能である。具体的には、釣竿を前記開口部から前記ケース本体部内に収容し、この開口部からリール等を突出させた状態で、釣り場間等を移動可能である。また、この際、ルアー（疑似餌）等についてもそのまま収納可能であり、例えば、前記ケース本体部の内側あるいは外側にルアーの釣り針部を突き刺した状態で固定することができる。このような使用方法が可能であるのは、前記ケース本体部が、伸長可能なシートを用いて構成されているからである。
【００１８】
本考案にかかる釣竿収納ケースは、前記ケース本体部が、クロロプレンゴムから成る合成ゴムシートを用いて構成されていることが好ましい。
【００１９】
この好ましい構成によれば（すなわち、クロロプレンゴムから成る合成ゴムシートを用いて前記ケース本体部を構成すれば）、上述した種々の作用効果を容易に得ることができる釣竿収納ケースを得ることができる。
【００２０】
また、本考案は、上記課題を解決するためになされたものであり、上端と下端の両端を閉塞状態とした筒状に形成されたケース本体部を備えた釣竿収納ケースであって、前記ケース本体部が伸長可能なシートを用いて構成されており、前記ケース本体部の中央よりも僅かに下方の側方位置に開口部を有するケース中央部と、前記ケース中央部の上方位置に設けられたケース上方部と、前記ケース中央部の下方位置に設けられたケース下方部とを備え、前記ケース上方部の上方端部および前記ケース下方部の下方端部の少なくとも一方の内側（内周面）に補強部（上方補強部および下方補強部の少なくとも一方）を備え、前記ケース本体部を構成する伸長可能なシートとして、クロロプレンゴムから成る合成ゴムシートが用いられることを特徴としている。
【００２１】
このような構成であれば、上述した種々の効果に加え、以下の作用効果を有する釣竿収納ケースを得ることができる。
具体的には、このような構成によれば、上述の効果に加え、釣竿収納ケース（を成すケース本体部）の上方端部および下方端部の少なくとも一方と、釣竿自身の端部とを共に衝撃から保護可能な釣竿収納ケースを得ることができる。
【考案の効果】
【００２２】
本考案によれば、伸長可能で耐久性に優れることにより、保管場所を限定されず、釣竿の出し入れが容易であり、釣竿を衝撃から適切に保護可能である、釣竿収納ケースを得ることができる。
【図面の簡単な説明】
【００２３】
【図１】本考案の実施形態にかかる釣竿収納ケースの概略斜視図を示したものである。
【図２】図１に示した釣竿収納ケースのII部領域の拡大図を示したものであって、図２（ａ）はII部領域の拡大概略斜視図を示し、図２（ｂ）はII部領域の拡大概略断面図（図２（ａ）のIII−III矢視線断面図）を示している。
【図３】本考案の実施形態にかかる釣竿収納ケースの概略斜視図を示したものであって、図３（ａ）は通常状態（例えば、未使用状態）における釣竿収納ケースの概略斜視図を示し、図３（ｂ）は伸長状態（例えば、使用状態）における釣竿収納ケースの概略斜視図を示している。
【図４】本考案の実施形態にかかる釣竿収納ケースの使用方法を説明するための概略斜視図であって、図４（ａ）は釣竿上方部を釣竿収納ケースのケース上方部に挿入した状態の概略斜視図を示し、図４（ｂ）は釣竿上方部をケース上方部に挿入したままで釣竿収納ケースのケース下方部を伸長させた状態の概略斜視図を示し、図４（ｃ）は釣竿を釣竿収納ケースに収納した状態の概略斜視図を示し、図４（ｄ）は釣竿を釣竿収納ケースに収納したままで面ファスナーを面着させた状態の概略斜視図を示している。
【図５】本考案の実施形態にかかる釣竿収納ケースの一使用例の概略斜視図を示したものである。
【考案を実施するための形態】
【００２４】
以下、図面に基づいて、本考案の実施形態を説明する。
【００２５】
図１は、本考案の実施形態にかかる釣竿収納ケースの概略斜視図を示したものである。また、図２は、図１に示した釣竿収納ケースのII部領域の拡大図を示したものであって、図２（ａ）はII部領域の拡大概略斜視図を示し、図２（ｂ）はII部領域の拡大概略断面図（図２（ａ）のIII−III矢視線断面図）を示している。さらに、図３は、本考案の実施形態にかかる釣竿収納ケースの概略斜視図を示したものであって、図３（ａ）は通常状態（例えば、未使用状態）における釣竿収納ケースの概略斜視図を示し、図３（ｂ）は伸長状態（例えば、使用状態）における釣竿収納ケースの概略斜視図を示している。また、図４は、本考案の実施形態にかかる釣竿収納ケースの使用方法を説明するための概略斜視図であって、図４（ａ）は釣竿上方部を釣竿収納ケースのケース上方部に挿入した状態の概略斜視図を示し、図４（ｂ）は釣竿上方部をケース上方部に挿入したままで釣竿収納ケースのケース下方部を伸長させた状態の概略斜視図を示し、図４（ｃ）は釣竿を釣竿収納ケースに収納した状態の概略斜視図を示し、図４（ｄ）は釣竿を釣竿収納ケースに収納したままで面ファスナーを面着させた状態の概略斜視図を示している。さらに、図５は、本考案の実施形態にかかる釣竿収納ケースの一使用例の概略斜視図を示したものである。
【００２６】
図１および図２等に示すように、本実施形態にかかる釣竿収納ケース１は、側方位置にケース開口部１４（本考案の「開口部」に相当）が設けられたケース本体部１０、このケース本体部１０の内側上方位置に設けられた上方補強部２１、およびケース本体部１０の外側に設けられたショルダー紐部３１等を用いて構成されている。
【００２７】
本実施形態にかかる釣竿収納ケース１を構成するケース本体部１０は、伸長可能なシートを用いて構成されており、このケース本体部１０の側方位置には、ケース開口部１４が設けられている。ここで、ケース本体部１０を構成する材料としては、例えば、クロロプレンゴムから成る合成ゴムシートがあげられる。クロロプレンゴムは、耐候性、耐熱性、耐油性、耐薬品性に優れ、加工も容易であるため、このクロロプレンゴムを用いることによって、比較的容易に本実施形態にかかる釣竿収納ケース１を得ることができる。
【００２８】
ケース本体部１０は、ケース上方部１１、ケース下方部１２、およびこれらに挟まれたケース中央部１３から成り、このケース中央部１３にケース開口部１４が設けられ、このケース開口部１４を閉止可能な大きさおよび位置にケース蓋部１５が設けられている。本実施形態においては、これらのケース上方部１１、ケース下方部１２、ケース中央部１３、ケース開口部１４、およびケース蓋部１５が、伸長可能なシート（クロロプレンゴムシート）を用いて一体的に構成されている。すなわち、所定の形状に裁断されたクロロプレンゴムシートを所定箇所にて縫合することによって、本実施形態にかかるケース本体部１０が構成されている。
【００２９】
また、本実施形態にかかるケース本体部１０のケース中央部１３には面ファスナーループ部４３が設けられ、ケース蓋部１５には面ファスナーフック部４５が設けられている。この面ファスナーループ部４３と面ファスナーフック部４５とは、一対の面ファスナーを形成し、着脱可能に構成されている。そして、この面ファスナー（面ファスナーループ部４３および面ファスナーフック部４５）を必要に応じて着脱することによって、本実施形態にかかるケース本体部１０は、ケース開口部１４をケース蓋部１５によって開閉可能に構成されている。ただし、この面ファスナーは、必ずしも使用しなければならないわけではなく、本実施形態にかかるケース本体部１０は、伸長可能なシートを用いて構成されているため、ケース本体部１０内に釣竿等を挿入するだけで（すなわち、特にケース開口部１４をケース蓋部１５によって閉塞しなくても）、釣竿等を適切にケース本体部１０内に保持することができる。
【００３０】
さらに、本実施形態にかかる釣竿収納ケース１を構成するケース本体部１０においては、ケース下方部１２の長手方向寸法よりもケース上方部１１の長手方向寸法の方が大きく構成されている。具体的には、ケース下方部１２の長手方向寸法を「１」とすると、ケース上方部の長手方向寸法は「１．０〜２．５」程度に設定されている。また、ケース開口部１４については、ケース下方部１２の長手方向寸法を「１」とすると、ケース開口部１４の長手方向寸法は「２．５〜９．０」程度に設定されている。さらに、このケース開口部１４の長手方向寸法は、ケース下方部１２の長手方向寸法を「１」とした場合、「５．０〜７．０」程度であることが好ましく、「６．０」程度であることがより好ましい。
【００３１】
本実施形態にかかるケース本体部１０に取り付けられたショルダー紐部３１は、釣竿収納ケース１を釣り人が背負うことが可能な位置に設けられており、その形成材料としては、ケース本体部１０と同様の合成ゴムシートを用いることが可能である。ただし、ショルダー紐部３１を構成する材料はこれに限定されず、必要に応じて、例えば、ポリエチレンにて形成されたシートや、ポリプロピレンにて形成されたシート等を用いることも可能である。また、このショルダー紐部３１には、必要に応じて、長さを調整するための調整器具等を設けてもよい。
【００３２】
図２は、図１に示した釣竿収納ケースのII部領域の拡大図を示したものであって、図２（ａ）はII部領域の拡大概略斜視図を示し、図２（ｂ）はII部領域の拡大概略断面図（図２（ａ）のIII−III矢視線断面図）を示している。
【００３３】
この図２に示すように、本実施形態にかかるケース本体部１０においては、そのケース上方部１１の端部（ケース上方端部１１Ａ）の内部に、上方補強部２１が設けられている。このケース上方端部１１Ａの内周面に設けられている上方補強部２１は、例えば、ケース本体部１０と同様の合成ゴムシート（クロロプレンゴムシート）を用いて構成されている。この上方補強部２１を設けることによって、釣竿の上端部が接触しやすい箇所（ケース上方端部１１Ａの内周面）が補強されることとなるため、釣竿収納ケース１の耐久性が向上する。また、この上方補強部２１は緩衝材としても機能するため、ケース本体部１０に収納された釣竿の先端部分を保護することもできる。
【００３４】
図３は、本考案の実施形態にかかる釣竿収納ケースの概略斜視図を示したものであって、図３（ａ）は通常状態（例えば、未使用状態）における釣竿収納ケースの概略斜視図を示し、図３（ｂ）は伸長状態（例えば、使用状態）における釣竿収納ケースの概略斜視図を示している。
【００３５】
上述したように、本実施形態にかかるケース本体部１０は、伸長可能なシート（クロロプレンゴムシート）を用いて一体的に構成されている。このような構成であるため、釣竿収納ケース１を構成するケース本体部１０は、図３に示すように、ケース上方部１１とケース下方部１２とを把持して引き伸ばすことによって、その長手方向寸法を、通常状態（通常状態長さ寸法Ｌ１）から伸長状態（伸長状態長さ寸法Ｌ２（＞Ｌ１））に伸長させることが可能となる。
【００３６】
この際（ケース上方部１１とケース下方部１２とを把持して引き伸ばした際）、上記のように、ケース本体部１０の長手方向寸法Ｌは引き伸ばされることとなるが、ケース本体部１０の外径寸法Ｄは、通常状態（通常状態外径寸法Ｄ１）から伸長状態（伸長状態外径寸法Ｄ２（＜Ｄ１））に縮減されることとなる。
【００３７】
つまり、図３に示すように、ケース本体部１０の形成材料に起因して、本実施形態にかかる釣竿収納ケース１は、その使用状態に応じて、長手方向寸法Ｌと外径寸法Ｄとが適宜伸縮することとなる。この機能によって、本実施形態にかかる釣竿収納ケース１においては、釣竿の収納および固定を適切に行うことができる。
【００３８】
本実施形態にかかる釣竿収納ケース１は、以上のように構成されている。そして、その構成に基づき、次のような作用効果を有する。以下、図面に基づき、本実施形態にかかる釣竿収納ケース１の使用方法およびその作用効果等を説明する。
【００３９】
図４は、本考案の実施形態にかかる釣竿収納ケースの使用方法を説明するための概略斜視図であって、図４（ａ）は釣竿上方部を釣竿収納ケースのケース上方部に挿入した状態の概略斜視図を示し、図４（ｂ）は釣竿上方部をケース上方部に挿入したままで釣竿収納ケースのケース下方部を伸長させた状態の概略斜視図を示し、図４（ｃ）は釣竿（上方部および下方部）を釣竿収納ケースに収納した状態の概略斜視図を示し、図４（ｄ）は釣竿を釣竿収納ケースに収納したままで面ファスナーを面着させた状態の概略斜視図を示している。なお、この図４においては、リールＲを装着した状態の釣竿Ｓを釣竿収納ケース１に収納する場合について説明する。
【００４０】
本実施形態にかかる釣竿収納ケース１に釣竿Ｓを収納する場合、まず、ケース本体部１０のケース中央部１３側方位置に設けられたケース開口部１４を拡げて、このケース開口部１４から釣竿上方部Ｓ１を挿入し、釣竿上方部Ｓ１をケース上方部１１に収納する（図４（ａ）参照）。この際、ケース上方端部１１Ａの内周面には、図２（ｂ）に示すように、上方補強部２１が設けられているため、釣竿上方部Ｓ１がケース上方端部１１Ａの内側に強く接触したとしても、釣竿収納ケース１の耐久性が低下することはない。
【００４１】
次いで（図４（ａ）に示した工程の後）、釣竿上方部Ｓ１をケース上方部１１に挿入したままで、釣竿収納ケース１のケース下方部１２を伸長させる（図４（ｂ）参照）。すなわち、釣竿下方部Ｓ２をケース下方部１２内に収納させるために、ケース開口部１４の開口端部が釣竿下方部Ｓ２の端部よりも下方となるように、ケース開口部１４の開口端部を引き伸ばす。
【００４２】
次いで（図４（ｂ）に示した工程の後）、釣竿Ｓ（上方部Ｓ１および下方部Ｓ２）を釣竿収納ケース１内に収納する（図４（ｃ）参照）。すなわち、釣竿上方部Ｓ１をケース上方部１１に挿入し、釣竿下方部Ｓ２をケース下方部１２に挿入して、釣竿Ｓの全体を釣竿収納ケース１に収納する。この際、釣竿Ｓに装着されたリールＲが、ケース開口部１４からケース本体部１０の外側に突出するような角度（位置）で、釣竿Ｓが釣竿収納ケース１内に収納される。つまり、本実施形態においては、ケース本体部１０内に釣竿Ｓを収納する際には、ケース本体部１０の長手方向寸法Ｌが引き伸ばされ、それにより外径寸法Ｄが縮減されるため、ケース開口部１４からリールＲを突出させた状態であっても、ケース開口部１４は適切に閉塞される。したがって、釣竿Ｓは、釣竿収納ケース１に適切に収納・保持されることとなる。
【００４３】
次いで（図４（ｃ）に示した工程の後）、ケース蓋部１５に設けられている面ファスナーフック部４５（フック面）を、ケース中央部１３に設けられた面ファスナーループ部４３（ループ面）に接合させる（図４（ｄ）参照）。すなわち、ケース開口部１４を閉塞するように、ケース蓋部１５をケース中央部１３側に折り曲げる。
【００４４】
上述したように、本実施形態においては、図４（ａ）から順番に図４（ｄ）までの工程を経ることによって、釣竿Ｓは釣竿収納ケース１内に収納されることとなる。これに対し、図４（ｄ）から逆に図４（ａ）までの工程を経ることによって、釣竿Ｓは釣竿収納ケース１内から取り出されることとなる。
【００４５】
図５は、本考案の実施形態にかかる釣竿収納ケース１の一使用例の概略斜視図を示したものである。具体的には、この図５は、リールＲおよびルアーＧを装着した状態の釣竿を釣竿収納ケース１に収納した状態の一例を示したものである。
【００４６】
本実施形態にかかる釣竿収納ケース１（を成すケース本体部１０）は、先にも説明したように、クロロプレンゴムから成る合成ゴムシートを用いて構成されている。クロロプレンゴムは、耐候性、耐熱性、耐油性、耐薬品性に優れ、加工も容易であるため、このクロロプレンゴムを用いることによって、比較的容易に、上述した種々の効果を有する釣竿収納ケース１を得ることができる。
【００４７】
また、このように構成されたケース本体部１０であれば、その内部あるいは外部に釣り針等が引っ掛かっても、あるいは釣り針等を故意に引っ掛けたとしても、ケース本体部１０の内表面あるいは外表面に僅かに跡が残るくらいで、ケース本体部１０が破損等することはない。これは、ケース本体部１０を形成している材料（クロロプレンゴム）に負うところ大である。
【００４８】
したがって、本実施形態においては、図５に示すように、リールＲおよびルアーＧをケース開口部１４から突出させた状態で、ケース本体部１０内に釣竿Ｓを収納すると共に、ルアーＧの釣り針部Ｇ１をケース本体部１０の外表面（図５においてはケース中央部１３）に引っ掛けて、ルアーＧの固定を行うことができる。
【００４９】
また、本実施形態にかかる釣竿収納ケース１においては、ケース開口部１４に金属性等の開閉手段（ファスナー等）を有しないため、釣竿ＳにリールＲおよびその他の仕掛けを装着した状態でも、図５に示すように、リールＲ等をケース開口部１４から突出させた状態で、釣竿Ｓ、リールＲ、ルアーＧ、および釣り糸等を、適切に釣竿収納ケース１に収納・保持・固定することができる。
【００５０】
本実施形態にかかる釣竿収納ケース１は、以上のように構成され、図４および図５に示すように使用可能である。そして、その構成および使用方法等に基づき、種々の作用効果を発揮する。以下、図１〜図５の記載に基づき、本実施形態にかかる釣竿収納ケース１の作用効果等を説明する。
【００５１】
本実施形態にかかる釣竿収納ケース１は、筒状に形成されたケース本体部１０を備えた釣竿収納ケース１であって、ケース本体部１０が伸長可能なシートを用いて構成されており、ケース本体部１０の側方位置にケース開口部１４が形成されていることを特徴としている。加えて、本実施形態においては、ケース本体部１０が、クロロプレンゴムから成る合成ゴムシートを用いて構成されている。
【００５２】
本実施形態によれば、釣竿収納ケース１を成すケース本体部１０が、伸長可能なシート（クロロプレンゴムシート）を用いて構成されているため（すなわち、伸び縮みする構成であるため）、側方位置に設けられたケース開口部１４を引き伸ばすことによって、様々なサイズ（長手方向サイズ）の釣竿Ｓの収納を行うことができる。また、このような構成であれば、伸長可能なため、ケース本体部１０を横方向に拡げることによって、複数の釣竿Ｓを収納することもできる。
【００５３】
さらに、本実施形態によれば、釣竿Ｓを収納してケース本体部１０が長手方向に伸長することによって、ケース本体部１０の外径寸法Ｄは縮むことになる。よって、一本あるいは複数本の釣竿Ｓであっても、ケース本体部１０内に適切に固定することができる。すなわち、移動中において、ケース本体部１０内で釣竿Ｓがずれたり、振動したりすることがないため、本実施形態にかかる釣竿収納ケース１を用いれば、釣竿Ｓにキズをつけることがない。
【００５４】
また、本実施形態にかかる釣竿収納ケース１によれば、ケース本体部１０が伸長可能なシート（クロロプレンゴムシート）を用いて構成されているため、家等で使用せずに（釣竿Ｓを収納せずに）保管する時や、釣り場における釣竿使用時（すなわち、ケース本体部１０内から釣竿Ｓを取り出している時）に、場所を取ることなく小さく折り畳む等して、釣竿収納ケース１を保管・収納することができる。
【００５５】
さらに、本実施形態にかかる釣竿収納ケース１は、伸長可能なシート（クロロプレンゴムシート）を用いて構成されているため、ケース開口部１４を小さく形成しても、引き伸ばすことによって、釣竿Ｓの出し入れを容易に行うことができると共に、釣竿Ｓを収納して伸長状態とすると、ケース本体部１０の外径寸法Ｄが縮む方向に力が作用するため、ケース開口部１４に開閉手段（ファスナー等）を設けずとも、適切にケース本体部１０内に釣竿Ｓを保持することができる。したがって、本実施形態にかかる釣竿収納ケース１のケース開口部１４には、金属や合成樹脂にて構成された開閉手段（ファスナー等）を設ける必要がない。このように、本実施形態によれば、ケース開口部１４に金属等にて形成された開閉手段が必要ではないため、海水の塩分が固着して開閉手段が作動しなくなったり、酸化等してケース本体部１０自身を劣化させたりすることがない。また、本実施形態によれば、ケース開口部１４に従来技術のような開閉手段等を設ける必要がないため、出し入れの際に、釣竿Ｓにキズをつけることがない。
【００５６】
さらに、本実施形態にかかる釣竿収納ケース１によれば、釣竿ＳにリールＲ等を装着した状態で、ケース本体部１０に収納することが可能である。具体的には、釣竿Ｓをケース開口部１４からケース本体部１０内に収容し、このケース開口部１４からリールＲ等を突出させた状態で、釣り場間等を移動可能である。また、この際、ルアーＧ等についてもそのまま収納可能であり、例えば、ケース本体部１０の内側あるいは外側にルアーＧの釣り針部Ｇ１を突き刺した状態で固定することができる。
【００５７】
また、本実施形態にかかる釣竿収納ケース１を成すケース本体部１０は、伸長可能なシート（クロロプレンゴムシート）を用いて、図１〜図５に示すように構成されているため、釣竿収納ケース１自身が浮力を有する。したがって、釣竿収納ケース１内に釣竿Ｓを収納したまま、海、川、あるいは湖等に落水しても、釣竿収納ケース１は水面およびその直下に浮いた状態となるため、比較的容易に釣竿収納ケース１（および釣竿Ｓ）を回収することができる。
【００５８】
さらに、本実施形態にかかるケース本体部１０は、伸長可能なシート（クロロプレンゴムシート）を用いて構成されているため、ケース本体部１０そのものが緩衝材として機能する。すなわち、釣竿収納ケース１が倒れたとしても内部の釣竿Ｓは適切に保護される。また、このような材料を用いて構成されているため、ケース本体部１０は、破れにくいという効果を得ることもできる。
【００５９】
さらに、このような材料を用いて構成されているため、釣竿収納ケース１は、海水で濡れた場合であっても、真水で洗浄することができる。この洗浄の際には、洗濯機等を用いることも可能である。また、使用時あるいは洗浄時等に、ケース本体部１０が濡れた場合であっても、絞ることによって容易に水分を除去可能である。したがって、本実施形態にかかる釣竿収納ケース１は、乾きやすく、カビにくいという特徴を有する。
【００６０】
さらに、本実施形態にかかる釣竿収納ケース１は、ケース開口部１４における開閉手段等も含めて、その構成要素に全く金属を使用していないため、錆びることがない。したがって、錆および錆に起因する様々な劣化を効果的に防止することができる。
【００６１】
また、本実施形態にかかる釣竿収納ケース１は、ショルダー紐部３１を有するため、ケース本体部１０内に釣竿Ｓを収納した状態で、釣竿収納ケース１自身を肩に掛けたり、背負ったりすることができる。したがって、本実施形態によれば、携帯性に優れた釣竿収納ケース１を得ることができる。
【００６２】
さらに、本実施形態においては、厚さ１ｍｍ〜５ｍｍ程度の伸長可能なシート（クロロプレンゴムシート）を用いて釣竿収納ケース１が構成されている。このような構成であるため、本実施形態によれば、非常に軽くて丈夫な上に、上述した種々の作用効果を有する釣竿収納ケース１を得ることができる。
【００６３】
以上のことから、本実施形態によれば、伸長可能で耐久性に優れた材料を用い、その材料の特徴を生かした構成とすることにより、上述したように、例えば、釣竿を衝撃から適切に保護可能で、容易に持ち運びすることができ、リールや釣り針等の装着状態に影響を受けず、釣竿にキズをつける構成要素を有することなく、釣竿の出し入れが容易であって、広い保管場所を必要としない、という様々な作用効果を有する釣竿収納ケースを得ることができる。
【００６４】
＜その他の実施例等＞
なお、本考案は、上記実施形態に限定されるものではなく、本考案の趣旨に適合し得る範囲で必要に応じて種々の変更を加えて実施することも可能であり、それらはいずれも本考案の技術的範囲に含まれる。
【００６５】
上記実施形態においては、伸長可能なシート（クロロプレンゴムシート）を用いて筒状に構成されたケースを、釣竿収納ケース１として用いる場合について説明したが、本考案はこの構成に限定されない。したがって、例えば、本考案と同様にクロロプレンゴムシートを用いて筒状に構成されたケースを、釣竿以外のタモ網やその他の道具を収納するためのケースとして用いてもよい。
【００６６】
また、本考案にかかる釣竿収納ケースは、上記実施形態にて説明した形状に限定されず、その大きさや形状等は、必要に応じて適宜変更可能である。
【００６７】
さらに、上記実施形態においては、ケース本体部１０および補強部（上方補強部２１）が、クロロプレンゴムから成る合成ゴムシートを用いて構成された場合について説明したが、本考案はこの構成に限定されない。したがって、例えば、必要に応じて、ポリウレタン樹脂を用いて構成されたシート、ポリウレタン樹脂とコットンとを組み合わせて構成されたシート等の少なくとも一つから得られる伸長可能なシートを用いてもよい。
【００６８】
また、上記実施形態においては、ケース本体部１０の上方端部にのみ補強部（上方補強部２１）を設ける構成について説明したが、本考案はこれに限定されない。したがって、例えば、必要に応じて、ケース本体部１０の上方端部および下方端部の両方に補強部（上方補強部、下方補強部）を設けてもよい。
【００６９】
さらに、上記実施形態においては、図４に示したように、釣竿Ｓを釣竿収納ケース１に収納する場合には、釣竿上方部Ｓ１をケース上方部１１に挿入した後に、釣竿下方部Ｓ２をケース下方部１２に挿入する方法について説明したが、本考案は、この構成に限定されない。したがって、例えば、釣竿Ｓを釣竿収納ケース１に収納する場合、釣竿下方部Ｓ２をケース下方部１２に挿入した後に、釣竿上方部Ｓ１をケース上方部１１に挿入する構成（方法）としてもよい。
【００７０】
また、上記実施形態においては、ケース本体部１０の中央よりも僅かに下方の側方位置にケース開口部１４を設ける構成について説明したが、本考案はこの構成に限定されない。したがって、例えば、必要に応じて（釣竿の種類や長さ等に応じて）ケース開口部１４を設ける位置は、ケース本体部１０の中央の側方位置でもよく、またケース本体部１０の中央よりも僅かに上方の側方位置でもよい。
【産業上の利用可能性】
【００７１】
先に述べたように、従来技術にかかる釣竿収納用のケースは、移動時にケース内で釣竿のずれ・振動が繰り返されたり、釣り針等をそのまま収納することができなかったり、開閉手段による弊害があったり、その置き場所として広いスペースが必要であったり、という種々の問題を抱えていた。
【００７２】
これに対し、本考案によれば、上述した種々の問題を解決することが可能である、様々な構成および機能的な特徴を有した釣竿収納ケースを提供することができる。すなわち、本考案によれば、伸長可能で耐久性に優れることにより、釣竿を衝撃から適切に保護可能で、釣り針等の装着状態に影響を受けず、釣竿にキズをつける開閉手段等の構成要素を有することなく、広い保管場所を必要としない、という様々な作用効果を有する釣竿収納ケースを得ることができる。
【符号の説明】
【００７３】
１…釣竿収納ケース
１０…ケース本体部
１１…ケース上方部
１１Ａ…ケース上方端部
１２…ケース下方部
１３…ケース中央部
１４…ケース開口部
１５…ケース蓋部
２１…上方補強部
３１…ショルダー紐部
４３…面ファスナーループ部（ループ面）
４５…面ファスナーフック部（フック面）
Ｄ１…通常状態外径寸法
Ｄ２…伸長状態外径寸法
Ｇ…ルアー（疑似餌）
Ｇ１…釣り針部
Ｌ１…通常状態長さ寸法（通常状態長手方向寸法）
Ｌ２…伸長状態長さ寸法（伸長状態長手方向寸法）
Ｒ…リール
Ｓ…釣竿
Ｓ１…釣竿上方部
Ｓ２…釣竿下方部
【図１】
0003159474.tif 000003
【図２】
0003159474.tif 000004
【図３】
0003159474.tif 000005
【図４】
0003159474.tif 000006
【図５】
0003159474.tif 000007